(57)【特許請求の範囲】
【請求項１】
搬送ベルトの幅方向両側の被取付対象に取り付けられて、プーリに掛けられた前記搬送ベルトのリターン側から離れる方向に延びる一対のサイドガイドレールと、
該一対のサイドガイドレールの内側を、一対のフレームに設けた車輪を介して移動可能な移動体と、
前記被取付対象の外側に、ベルトクリーナ装置の位置を固定する位置固定機構と、を備え、
前記移動体は、フレーム上にベルトクリーナ装置の取付部材を取り付けて、前記ベルトクリーナ装置の作業位置と前記サイドガイドレールの搬送ベルトから離れる方向の他端側との間で移動可能とし、
前記位置固定機構は、前記ベルトクリーナ装置の作業位置となる前記サイドガイドレールの一端側で、前記ベルトクリーナ装置の位置を固定することができる構成を有すること
を特徴とするベルトクリーナ装置の交換用シフト装置。
【請求項２】
移動体は、フレームの上面に固着された保持部材を備え、
ベルトクリーナ装置は、前記保持部材に沿い摺動可能に保持されると共に、取付部材の下端を支持する支持部材を備え、
位置固定機構は、被取付対象の外側に備えられて、前記被取付対象を貫通してその内外方向に移動可能とすると共に、先端に楔状の勾配が形成された差込板を有する位置固定具を備えてなり、
該位置固定具の先端の差込板が、前記保持部材に形成されたガイド孔、及び前記支持部材に形成された長孔に挿通されることで、前記移動体及びベルトクリーナ装置の位置が固定されるようにした
請求項１記載のベルトクリーナ装置の交換用シフト装置。
【請求項３】
ベルトクリーナ装置を支持する支持部材に形成された長孔の上端は勾配をつけて形成され、
位置固定具の先端の勾配をつけた差込板が、前記支持部材に形成された長孔の上端の勾配に摺動しながら挿通されることで、前記支持部材が保持部材に対して上方に移動することができると共に、移動体及びベルトクリーナ装置の位置が固定されるようにした
請求項１又は２記載のベルトクリーナ装置の交換用シフト装置。
【請求項４】
ベルトクリーナ装置の位置を固定することができる位置固定機構は、被取付対象の外側に備えられて、前記被取付対象を貫通してその内外方向に移動可能な位置固定具を備え、
前記位置固定具の先端が、前記ベルトクリーナ装置の取付部材に形成された孔に挿通されることで、移動体及びベルトクリーナ装置の位置が固定されるようにした
請求項１記載のベルトクリーナ装置の交換用シフト装置。
【発明の詳細な説明】
【技術分野】
【０００１】
本発明は、たとえばベルトコンベヤ等の搬送ベルトの表面に付着した付着物を掻き取るためのベルトクリーナ装置を交換するときに用いるベルトクリーナ装置の交換用シフト装置に関するものである。
【背景技術】
【０００２】
従来から、製鉄所等では、搬送物を搬送するためにベルトコンベヤが使用されている。このベルトコンベヤは、搬送ベルトの表面（搬送面）に付着した付着物を掻き取るためにベルトクリーナ装置が用いられている。一般に、ベルトコンベヤは、ヘッドプーリと従動プーリとの間に所定幅の搬送ベルトを無端状に掛け回し、ヘッドプーリを回転させることによりベルトを両プーリ間で周回運動させるようにしてある。通常、搬送ベルトは、表面に搬送物を載せて搬送して、ヘッドプーリ側で払い出すと、リターン側となって従動プーリへ戻るが、リターン側ベルトの表面に付着した付着物が途中で落下し、ベルト下に堆積する。この落下物の放置は、作業環境の悪化や資源の損失となるため、定期的に落下物の回収作業を実施して再利用するが、コンベヤの全体に亘り広範囲に落下するので回収作業に多くの労力と費用がかかってしまう。このため、ベルトクリーナ装置を用いて一定の場所で落下物を掻き落して効率的に回収する方法が採用されている。
【０００３】
このベルトコンベヤ等に用いられているベルトクリーナ装置としては、従来から種々の型式のものが採用されている。たとえば、ベルトコンベヤのヘッドプーリの下方位置でヘッドプーリの軸心方向の両側部に、ヘッドプーリに掛けられた搬送ベルトの幅寸法よりも広い間隔でシュートが設置され、該シュートには、内側面に各々固定した取付部材と、該一対の取付部材にそれぞれ取り付けられたラバースプリングと、搬送ベルトの幅方向と平行に水平に配置して両端部を前記ラバースプリングに保持されてなる支持部材（シャフト）と、該シャフトに前記搬送ベルトの幅方向に配列されるように並べて取り付けられた複数のクリーナ部材（スクレーパ部材）と、を備えたベルトクリーナ装置が用いられている（特許文献１参照）。
【先行技術文献】
【特許文献】
【０００４】
【特許文献１】特許第２８２９４９８号公報
【発明の概要】
【発明が解決しようとする課題】
【０００５】
ところで、このようなベルトクリーナ装置は、使用により搬送ベルトに接触するスクレーパ部材のチップが摩耗するため、摩耗度合によって新しいものに交換する必要がある。また、ベルトクリーナ装置は、付着物を掻き取る際に、該掻き取った付着物がチップ先端に付着して固着することがある。付着物が固着したままのチップを使い続けてしまうと搬送ベルト面を傷つけてしまうことがあり、チップ先端を清掃するためやチップを交換するために、ベルトクリーナ装置からチップを取り外す必要がある。
【０００６】
しかし、特許文献１に記載のベルトクリーナ装置は、シュートの内側面に固定された取付部材に、ラバースプリングを介してシャフトの両端部を保持させ、該シャフトにスクレーパ部材が一体に連結するように取り付けられているため、強固な構成となることで搬送ベルトの付着物の掻き取りに関しては十分な効果を奏する一方、スクレーパ部材の交換の際には、現場において、作業員がシュート内に入り込み、シュートに固定された取付部材からシャフト全体を取り外した上で、スクレーパ部材やスクレーパ部材を構成するチップの交換作業や取付作業が必要である。
【０００７】
このシャフト全体を取付部材から取り外したり、取付部材に取り付けたりする作業は、重量が大きいことから多大な労力と時間を要しているというのが実情である。特に、ヘッドプーリの下方位置にあるベルトクリーナ装置の交換は、作業スペースが狭く、シュートの内部で作業するためには作業員の熟練した技術が必要となる。更に、ベルトクリーナ装置のシャフトを取付部材に取り付ける際には、芯出しとレベル調整が取り付け毎に必要であり、メンテナンスに労力と時間がかかり、それによる人件費コストがかかってしまうことが懸念されている。
【０００８】
そこで、本発明は、上記従来の課題を解決するために、被取付対象としてのシュートの内での作業負担を軽減すること、若しくはシュート内に作業員が入ることなく、ベルトクリーナ装置やその部材の交換作業を広いスペースで容易に行うことができるようにするベルトクリーナ装置の交換用シフト装置を提供することを目的とするものである。
【課題を解決するための手段】
【０００９】
本発明は、前記課題を解決するために、搬送ベルトの幅方向両側の被取付対象に取り付けられて、プーリに掛けられた前記搬送ベルトのリターン側から離れる方向に延びる一対のサイドガイドレールと、該一対のサイドガイドレールの内側を、一対のフレームに設けた車輪を介して移動可能な移動体と、前記被取付対象の外側に、ベルトクリーナ装置の位置を固定する位置固定機構と、を備え、前記移動体は、フレーム上にベルトクリーナ装置の取付部材を取り付けて、前記ベルトクリーナ装置の作業位置と前記サイドガイドレールの搬送ベルトから離れる方向の他端側との間で移動可能とし、前記位置固定機構は、前記ベルトクリーナ装置の作業位置となる前記サイドガイドレールの一端側で、前記ベルトクリーナ装置の位置を固定することができる構成を有することを特徴とするベルトクリーナ装置の交換用シフト装置とする。
【００１０】
前記ベルトクリーナ装置の交換用シフト装置において、移動体は、フレームの上面に固着された保持部材を備え、ベルトクリーナ装置は、前記保持部材に沿い摺動可能に保持されると共に、取付部材の下端を支持する支持部材を備え、位置固定機構は、被取付対象の外側に備えられて、前記被取付対象を貫通してその内外方向に移動可能とすると共に、先端に楔状の勾配が形成された差込板を有する位置固定具を備えてなり、該位置固定具の先端の差込板が、前記保持部材に形成されたガイド孔、及び前記支持部材に形成された長孔に挿通されることで、前記移動体及びベルトクリーナ装置の位置が固定されるようにした構成とする。
【００１１】
前記構成において、ベルトクリーナ装置を支持する支持部材に形成された長孔の上端は勾配をつけて形成され、位置固定具の先端の勾配をつけた差込板が、前記支持部材に形成された長孔の上端の勾配に摺動しながら挿通されることで、前記支持部材が保持部材に対して上方に移動することができると共に、移動体及びベルトクリーナ装置の位置が固定されるようにした構成とする。
【００１２】
また、前記ベルトクリーナ装置の交換用シフト装置において、ベルトクリーナ装置の位置を固定することができる位置固定機構は、被取付対象の外側に備えられて、前記被取付対象を貫通してその内外方向に移動可能な位置固定具を備え、前記位置固定具の先端が、前記ベルトクリーナ装置の取付部材に形成された孔に挿通されることで、移動体及びベルトクリーナ装置の位置が固定されるようにした構成とする。
【発明の効果】
【００１３】
本発明のベルトクリーナ装置の交換用シフト装置によれば、以下のような優れた効果を発揮する。
（１）チップに付着した付着物を除去するために清掃する場合、チップの摩耗により交換する場合に、被取付対象の内側面にサイドガイドレールが設置され、該サイドガイドレールに沿って、移動体を介してベルトクリーナ装置をスライド可能な構成としてあるので、ベルトクリーナ装置を搬送ベルトのリターン側の搬送方向から離れる方向に引き出すことができ、該引き出した位置で交換作業することができるので、被取付対象の内側での作業が軽減され、若しくは被取付対象の内側に作業員が入らなくても交換作業を行うことができる。
（２）更に、被取付対象の外方からベルトクリーナ装置の移動を規制して位置を固定するための位置固定機構を備えているので、ベルトクリーナ装置を所望の位置に固定し続けることができる。
【図面の簡単な説明】
【００１４】
【図１】本発明のベルトクリーナ装置の交換用シフト装置の第１実施形態の概要を示す正面図である。
【図２】図１の一部切断側面図である。
【図３】図１の要部拡大図で、（ａ）は基準位置において位置固定ボルトにより移動体及びベルトクリーナ装置の位置を固定する前の様子を示す図、（ｂ）は基準位置において移動体及びベルトクリーナ装置の位置を固定している様子を示す図である。
【図４】本発明のベルトクリーナ装置の交換用シフト装置の第２実施形態の概要を示す要部拡大断面図で、（ａ）は基準位置において移動体及びベルトクリーナ装置の位置を固定していない様子を示す図、（ｂ）は（ａ）の矢印Ａ方向要部側面図、（ｃ）はＢ−Ｂ方向端面図である。
【図５】本発明のベルトクリーナ装置の交換用シフト装置の第２実施形態の概要を示す要部拡大断面図で、（ａ）は基準位置において移動体の保持部材に位置固定ボルトを挿通している様子を示す図、（ｂ）は（ａ）の矢印Ａ方向要部側面図である。
【図６】本発明のベルトクリーナ装置の交換用シフト装置の第２実施形態の概要を示す要部拡大断面図で、（ａ）は基準位置において位置固定ボルトにより移動体及びベルトクリーナ装置の位置を固定すると共に、支持部材が保持部材に対して摺動している様子を示す図、（ｂ）は（ａ）の矢印Ａ方向要部側面図、（ｃ）はＢ−Ｂ方向端面図である。
【発明を実施するための形態】
【００１５】
以下、本発明を実施するための形態を、図面を参照して説明する。
【００１６】
なお、各図面は、例示のみを目的として提供されるものであり、本発明の典型的な実施形態を示すものにすぎない。これらの図面は、本発明に対する理解を容易とするために提供されるものであり、本発明の範囲や適用可能性を限定するものではない。また、図示される内容を明確かつ容易に理解するために、これらの図面では必ずしも縮尺にあったものではなく、更に一部省略して描写されているものである。
【００１７】
図１乃至図３（ａ）（ｂ）は、本発明のベルトクリーナ装置の交換用シフト装置の第１実施形態を示すものである。本発明のベルトクリーナ装置の交換用シフト装置は、ベルトコンベヤにおけるヘッドプーリ２の軸心方向（左右方向：ｘ方向）両端側に設置されている被取付対象としての各シュート１の内側面に、ヘッドプーリ２に掛けられた搬送ベルト４のリターン側から離れる方向へ延びるように取り付けられた左右一対のサイドガイドレール３と、連結部材８で連結した左右一対のフレーム６に車輪７を取り付けて、該車輪７を介して一対のサイドガイドレール３のガイド溝９に載置された移動体５とが備えられている。また、該各移動体５のフレーム６上面に、ベルトクリーナ装置１０の両端部の固定基部１６を取り付けて、左右の移動体５にベルトクリーナ装置１０が載置支持された構成としてあり、移動体５とベルトクリーナ装置１０とが一体となってサイドガイドレール３に沿ってヘッドプーリ２の周方向に自在にシフト移動できるように構成されている。更に、ヘッドプーリ２の下方位置におけるシュート１には、ヘッドプーリ２の下方位置でベルトクリーナ装置１０を位置決めするための位置固定機構２１が備えられている。
【００１８】
詳述すると、左右一対のサイドガイドレール３は、シュート１の内側面に溶接等の手段により取付固定されている。サイドガイドレール３は、断面略コ字状に形成され、略コ字状の内部のガイド溝９が内側を向くように互いに対向して配置されていて、移動体５がサイドガイドレール３に沿ってシフト可能に構成されている。
【００１９】
サイドガイドレール３は、図２に示すように、ヘッドプーリ２の鉛直方向下部近傍に一端部が位置するように配設され、他端部は、搬送ベルト４のリターン側における搬送方向とは反対方向（搬送ベルト４のリターン側から離れる方向）に位置して、上方に湾曲するようにした形状で配設されている。なお、サイドガイドレール３は必ずしも上方に湾曲した構成としなくても良く、サイドガイドレール３の一端から他端まで水平方向に延びるように形成されていても良い。このようにサイドガイドレール３を配設するのは、サイドガイドレール３の他端側が位置する領域にはベルトコンベヤ等を構成する他の設備を設置する必要が少なく、スペースが有効に残されているからである。
【００２０】
一対のサイドガイドレール３のガイド溝９に沿って移動する移動体５は、前記のように各サイドガイドレール３に沿ってスライドする一対のフレーム６，６と、該一対のフレーム６，６のそれぞれに軸を介して取り付けられた２個ずつの車輪７と、を備えた構成とされている。
【００２１】
各フレーム６は、車輪７の取付個所を断面コ字状に形成して、その他の個所は強度を高めるために断面四角筒の中空状に構成されていて、車輪７は、前記のように断面コ字状の個所の外方に車軸を介して取り付けられている。一方、該各フレーム６の四角筒形状の部分には、連結部材８の各端部が溶接等により固定されている。
【００２２】
更に、移動体５のフレーム６の上面には、ベルトクリーナ装置１０の両端側の固定基部１６の下端部が溶接等により取り付けられている。ベルトクリーナ装置１０は、従来使用されているものと同様に、ヘッドプーリ２の軸心方向であって、搬送ベルト４の幅方向両側に配置された取付部材１１と、該取付部材１１に両端が取付固定されて、搬送ベルト４の幅方向に架設された１本のシャフト１２と、搬送ベルト４の表面に圧接されるチップ１３を具備するスクレーパ部材１４を複数有すると共に、搬送ベルト４の幅方向に隣接するようにシャフト１２に取り付けられて配列されたクリーナ部材１５と、を備えた構成とされている。
【００２３】
取付部材１１は、上下方向（ｚ方向）に配設されて、移動体５のフレーム６の上面に取り付けられた水平断面形状がＬ字状の固定基部１６と、該固定基部１６に沿い上下動可能に取り付けられた可動基部１７とを有している。なお、従来構成と同様の構成であるため説明は省略するが、可動基部１７にシャフト１２を固定するための構成が設けられている。また、固定基部１６の下端部に設けられたブラケット１８には、上端を可動基部１７の下端面に当接させた高さ調節機構としての調節ねじ１９が取り付けられ、該調節ねじ１９による締め具合により、上端で可動基部１７を上下動させて、上下方向へ位置調整できるように構成されている。
【００２４】
更に、位置固定機構２１は、シュート１の外側面に取り付けられ、移動体５に支持されたベルトクリーナ装置１０が、搬送ベルト４に付着した付着物を掻き取るための作業位置（基準位置）、すなわち、本実施形態においてはヘッドプーリ２の鉛直方向下部の位置に移動してきたときに位置決めして、この基準位置からベルトクリーナ装置１０を支持する移動体５が図２に示すｙ方向に移動しないようにするためのものである。
【００２５】
具体的には、位置固定機構２１は、一対のサイドガイドレール３の各一端部が取り付けられている個所近傍のシュート１の外側面に取り付けられたプレート２２と、該プレート２２に対して水平方向に平行に植設された２本のガイドロッド２３と、上記２本のガイドロッド２３にガイドされて移動する水平保持板２４と、該水平保持板２４に挿通されて、頭部が該水平保持板２４に回転自在に保持されると共に、先端側がプレート２２及びシュート１を貫通してシュート１の内側へ突出する位置固定具２５と、サイドガイドレール３の上面に直立されて設置され、ベルトクリーナ装置１０が基準位置に位置したときに位置固定具２５の軸芯のズレを抑制するためのネジ加工された孔２６が形成されたガイド板２７と、を備えた構成とされている。２８は、位置固定具２５の先端部を固定基部１６に形成された孔２０に挿入する長さ（量）を規制するため、該位置固定具２５に取り付けた規制部材である。
【００２６】
位置固定具２５は、全ねじ又は半ねじのボルトによって構成され、前述したように、該ボルトが水平保持板２４とガイド板２７とによって水平方向に移動できるように保持された構成としてあり、該位置固定具２５がガイド板２７のネジ孔２６に螺合されることで、位置固定具２５の先端位置を調整できるように保持されている。
【００２７】
このように、ベルトクリーナ装置１０が基準位置に位置したときに、位置固定具２５の先端を固定基部１６の孔２０に挿通させることで、ベルトクリーナ装置１０のｙ方向のずれを抑制することができるようにしてある。
【００２８】
なお、基準位置は、上記位置に限定されるものではなく、目的やベルトクリーナ装置１０の構成の相違により適宜変化するものであり、たとえば、搬送ベルト４がヘッドプーリ２の個所で反転する位置で、ヘッドプーリ２の軸心方向と直行する水平方向一端から、そのヘッドプーリ２の円周に沿う僅か下方位置にチップ１３先端を圧接することができるような位置を基準位置としてもよい。この場合には、サイドガイドレール３の一端が当該基準位置に対応する個所に位置するように設置する。
【００２９】
２９はシュート１の外方に突出した状態の位置固定具２５等を防護する防護部材である。
【００３０】
次に、本実施形態におけるベルトクリーナ装置の交換用シフト装置を使用してのベルトクリーナ装置の交換の方法を説明する。
【００３１】
搬送ベルト４に付着した付着物をベルトクリーナ装置１０による掻き取り作業により、ベルトクリーナ装置１０のチップ１３に付着した付着物を除去するために清掃する場合や、チップ１３の摩耗による交換をしたい場合には、ベルトクリーナ装置１０を基準位置からサイドガイドレール３の他端側の位置（取替位置）に移動させる。
【００３２】
この場合、先ず、シュート１内において、ベルトクリーナ装置１０の取付部材１１の該調節ねじ１９を緩めて、可動基部１７の位置調整をし、取付部材１１に対するシャフト１２及びクリーナ部材１５の高さ位置を調整して、搬送ベルト４の表面から離間させる。
【００３３】
そして、基準位置において位置固定機構２１の位置固定具２５をラチェットレンチ等の工具で緩めて、図３（ａ）に示すように左右の固定基部１６の孔２０から位置固定具２５の先端を抜き出す。これにより、ベルトクリーナ装置１０及び移動体５のサイドガイドレール３に対する位置固定の規制が解除され、移動体５がサイドガイドレール３に沿って移動可能となる。
【００３４】
次いで、シュート１の外側、たとえば図示しない点検口から、工具等を用いて移動体５（たとえば連結部材８）を引き寄せることにより、図２に二点鎖線で示すように、移動体５に支持されたベルトクリーナ装置１０が基準位置から取替位置に位置するように移動させる。そして、取替位置にて、チップ１３の交換やチップ１３の清掃を行う。なお、取替位置において、サイドガイドレール３の他端側から移動体５ごと取り外し、交換済みのチップ１３や清掃済みのチップ１３を備えたベルトクリーナ装置１０が取り付けられた別の移動体５を新たにサイドガイドレール３に設置するようにしてもよい。また、図２に示すように、サイドガイドレール３が他端側に向けて上方に湾曲している場合には、特に図示はしないが、移動体５を取替位置まで移動させたときに、サイドガイドレール３の傾斜により元の位置（基準位置）側へ移動しないように、たとえば、サイドガイドレール３に移動体５をその位置に固定しておくための仮止め機構等を設けるようにすることが好ましい。
【００３５】
このように、取替位置においてベルトクリーナ装置１０のチップ１３の交換等が終了した後は、前述した作業手順とは逆の作業手順を行うようにすればよい。
【００３６】
すなわち、交換済み又は清掃済みのチップ１３を備えたベルトクリーナ装置１０を搬送ベルト４の表面に圧接させるようにするためには、図２に二点鎖線で示す位置から実線で示す位置まで、に移動体５をサイドガイドレール３に沿って取替位置から基準位置へ移動させる。
【００３７】
そして、ベルトクリーナ装置１０が基準位置に位置していることを確認した後、位置固定機構２１の位置固定具２５をラチェットレンチ等で締め付けて、図３（ｂ）に示すように位置固定具２５の先端をベルトクリーナ装置１０の固定基部１６の孔２０に挿通させる。これにより、ベルトクリーナ装置１０は、サイドガイドレール３の長手方向（ｙ方向）の移動が規制され、更に移動体５の移動も規制されるため、ベルトクリーナ装置１０の位置が固定される。
【００３８】
次いで、ベルトクリーナ装置１０の取付部材１１の調節ねじ１９を締めて可動基部１７を上方へ位置調整することにより、シャフト１２及びクリーナ部材１５の高さ位置を高くして、クリーナ部材１５のチップ１３を搬送ベルト４の表面に圧接するようにレベル調整をする。
【００３９】
このような本実施形態のベルトクリーナ装置１０の交換用シフト装置によれば、上記のようなサイドガイドレール３と移動体５を備えて、ベルトクリーナ装置１０を基準位置と取替位置との間で移動できるようにした構成としてあるので、ベルトクリーナ装置１０やその部材の交換時に、作業員はシュート内でベルトクリーナ装置１０の取付部材１１の高さを調節作業のみ行えばよく、チップ１３の交換等は、作業員が狭いシュート内で行う必要がなく、取替位置に移動させた状態でシュートの外側から容易に交換をすることが可能になる。
【００４０】
なお、本実施形態において、移動体５の構成として、一対のフレーム６，６同士を連結する連結部材８を設けている構成としてあるが、移動体５がサイドガイドレール３に沿って移動することができれば、連結部材８を設けずに構成するようにしてもよい。
【００４１】
次に、本発明のベルトクリーナ装置の交換用シフト装置の第２実施形態を、図４（ａ）（ｂ）、図５（ａ）（ｂ）、図６（ａ）（ｂ）に基づいて説明する。
【００４２】
本実施形態は、第１実施形態の構成とは、移動体５に対するベルトクリーナ装置１０の支持構成、並びに位置固定機構２１の構成及び高さ調節機構の構成が異なるものである。したがって、作用や機能が第１実施形態と同等であるものについては、同様の符号を付して、各々の詳細な説明を適宜省略する。なお、図４（ａ）（ｂ）（ｃ）、図５（ａ）（ｂ）、図６（ａ）（ｂ）（ｃ）は、本実施形態の構成を分かりやすくするために、基準位置における要部を拡大した部分拡大断面図である。また、図４（ｂ）、図５（ｂ）、図６（ｂ）は、それぞれ図４（ａ）、図５（ａ）、図６（ａ）の矢印Ａ方向から見た要部の側面図、図４（ｃ）、図６（ｃ）は、それぞれ図４（ａ）、図６（ａ）のＢ−Ｂ矢視方向から見た端面図である。
【００４３】
まず、本実施形態における移動体５ａに対するベルトクリーナ装置１０の支持構成を説明する。
【００４４】
本実施形態の移動体５ａの左右一対のフレーム６ａには、それぞれ上面に平面視略コ字状の保持部材３０が所定の高さで固着されて設けられている。更に、該保持部材３０のコ字状内部には、該内部に沿い上下方向に摺動可能に保持されている平面視略コ字状の支持部材３２が配置され、該支持部材３２の上端に、ベルトクリーナ装置１０の取付部材１１ａの固定基部１６ａの下端部が取り付けられている。すなわち、ベルトクリーナ装置１０は、左右両側の各支持部材３２に支持されていると共に、フレーム６ａの上面に対して非固定状態とされており、間接的にフレーム６ａに取り付けられた構成とされている。
【００４５】
また、保持部材３０のコ字状の中央に位置する壁、すなわち、搬送ベルト４の幅方向（ｙ方向）外側の壁には、後述する位置固定具２５ａの先端側をガイドするためのガイド孔としての長孔３１が上下方向（ｚ方向）に形成されている。一方、支持部材３２には、搬送ベルト４の幅方向（ｙ方向）外側の面の下端側に、位置固定具２５ａの先端側を挿通するための上下方向に延びるスリット状の長孔３３が形成されている。
【００４６】
更に詳述すると、図４（ａ）（ｂ）に示すように、保持部材３０の長孔３１に対して支持部材３２の長孔３３は、支持部材３２が保持部材３０内面を摺動していない状態（支持部材３２の下端部がフレーム６ａの上面に接触している状態）では、保持部材３０の長孔３１の下端側と支持部材３２の長孔３３の上端側とが一部重なるように形成されている。更に、図４（ａ）に示すように、支持部材３２の長孔３３の上端側は、外方から内方に向けて傾斜させて長孔３３の面積が小さくなるように斜めに勾配をつけて形成されている。
【００４７】
位置固定機構２１ａは、第１実施形態と同様に、一対のサイドガイドレール３の各一端部が取り付けられている個所近傍のシュート１の外側面に取り付けられている。
【００４８】
該位置固定機構２１ａは、ねじ軸４４に筒状の移動軸４７が螺合させられて、ねじ軸４４の開店により移動軸４７が軸心方向に進退移動できるようにしてある位置固定具２５ａと、該位置固定具２５ａの外側にあって、移動軸４７の外周部に全長にわたって設けられた切り欠き溝４８に係合して回転方向の動きを規制する回転規制部３９を内側面に設けた円筒部材３４と、該円筒部材３４の両端部にあって、移動軸４７を挿通させる貫通孔３５を有するプレート３６、及びねじ軸４４の頭部側を挿通させる貫通孔３７を有するプレート３８と、該プレート３８の外側に配置され、ねじ軸４４に係合させて該ねじ軸４４の軸心方向への移動を規制する規制板４０と、該規制板４０を保持するために、プレート３８の外周部分にボルト４１とナット４２で着脱可能に取り付けられた規制板押え部材４３と、を備えた構成とされ、プレート３６をシュート１に取り付けることにより、シュート１の外側に設置されている。４９は保持部材３０に設けた移動軸の挿通孔である。
【００４９】
更に、移動軸４７は、先端側に取付板４６を介して楔上の差込板４５が取り付けてある。楔状の差込板４５は、支持部材３２の長孔３３上端部の勾配に対応する勾配を付けて構成されている。
【００５０】
このような本実施形態の位置固定機構２１ａの構成とすることにより、位置固定具２５ａのねじ軸４４を回転させると、ねじ軸４４は規制板４０の作用により軸心方向の移動が規制されて回転だけの動きが許容されているため、該ねじ軸４４に螺合していると共に回転規制部３９により回転が規制されている移動軸４７に直線運動の動力が伝わり、該移動軸４７が水平方向に移動する。これにより、図５（ａ）、図６（ｂ）に示すように、差込板４５が保持部材３０の長孔３１及び支持部材３２の長孔３３に挿通されることになる。
【００５１】
また、本実施形態の位置固定具２５ａにおける移動軸４７先端の取付板４６が、第１実施形態の位置固定具２５の規制部材２８と同様の作用を奏することができるため、位置固定具２５ａでは、規制部材２８が省略された構成とされている。５０は保持部材３０のコ字状の両側の壁に形成されたガイド孔としての長孔で、該長孔５０と、支持部材３２のコ字状の両側の壁に形成されたガイド孔としての長孔（図示せず）とにボルト５１を挿通してナット５２を螺合させておくことにより、支持部材３２の保持部材３０に対する摺動をガイドすると共に、支持部材３２が保持部材３０から抜け出すことを防止している。
【００５２】
次に、本実施形態におけるベルトクリーナ装置の交換用シフト機構を使用してのベルトクリーナ装置の交換の方法を説明する。なお、本実施形態においても、取替位置でのチップ１３の交換、清掃やベルトクリーナ装置１０の交換等の手順は、第１実施形態と同様であるため、取替位置における説明は省略し、基準位置における説明をする。
【００５３】
すなわち、チップ１３の交換等を施したベルトクリーナ装置１０が支持された移動体５ａをサイドガイドレール３に沿って取替位置から基準位置へ移動させ、ベルトクリーナ装置１０が基準位置に位置していることを確認した後、位置固定機構２１ａの位置固定具２５ａのねじ軸４４をラチェットレンチ等で締め付ける。この作業を左右のサイドガイドレール３のそれぞれについて行う。
【００５４】
これにより、図４（ａ）に示す位置から図５（ａ）に示す位置となるように、位置固定具２５ａの移動軸４７の先端（楔状の差込板４５）が保持部材３０のガイド筒としての長孔３１にガイドされるように挿通され、更に、図６（ａ）に示すように、差込板４５が支持部材３２の長孔３３に挿通される。この際、差込板４５の上面側の勾配の傾斜に対応して支持部材３２の長孔３３の上端も勾配をつけて斜めに形成されているため、差込板４５を長孔３３に挿通することにより、差込板４５の勾配と長孔３３の勾配とが摺動しながら移動することになる。
【００５５】
このように、移動軸４７の先端の差込板４５が、保持部材３０に形成された長孔３１及び支持部材３２の長孔３３の両方に挿通することにより、ベルトクリーナ装置１０の幅方向（ｙ方向）の移動が規制されると同時に、これに伴い移動体５ａの移動も規制される。
【００５６】
更に、本実施形態の構成では、差込板４５の勾配が長孔３３の勾配の上端に摺動することにより、差込板４５の長孔３３への挿通と同時に、支持部材３２は、保持部材３０に対して上方（ｚ方向）に持ちあげられるように応動し、それによりベルトクリーナ装置１０も上方に持ちあげられて移動することになる。
【００５７】
このように、位置固定機構２１ａは、基準位置において位置固定具２５ａのねじ軸４４を回して回転させることにより、回転規制部３９に回転が規制された移動軸４７が水平方向（軸心方向）に移動して差込板４５が保持部材３０の長孔３１及び支持部材３２の長孔３３に挿通し、ベルトクリーナ装置１０の基準位置での移動を規制して位置を固定することができると共に、差込板４５の支持部材３２の長孔３３への挿し込み量により支持部材３２及びベルトクリーナ装置１０の高さを調整することができる。そのため、ベルトクリーナ装置１０のシャフト１２及びクリーナ部材１５の高さ位置を高くして、クリーナ部材１５のチップ１３を搬送ベルト４の表面に圧接するようにレベル調整をすることも可能となり、位置固定機構２１ａは、高さ調節機構としての機能も同時に果たすことができる
一方、ベルトクリーナ装置１０のチップ１３の交換、清掃時には、ラチェットレンチ等の工具でねじ軸４４を緩めて、左右の保持部材３０の長孔３１及び支持部材３２の長孔３３から位置固定具２５ａの移動軸４７の先端の差込板４５を抜き出せば、支持部材３２の下端がフレーム６ａの上面に接するまで下がり、ベルトクリーナ装置１０のシャフト１２及びクリーナ部材１５の高さ位置が搬送ベルト４の表面から離れることになる。更に、ベルトクリーナ装置１０及び移動体５ａがサイドガイドレール３に対する位置固定の規制が解除され、移動体５ａがスライド可能となり、取替位置まで移動させて交換等が可能となる。
【００５８】
このような本実施形態のベルトクリーナ装置の交換用シフト装置構造によれば、ベルトクリーナ装置１０の交換時に、作業員がシュート１の中に入る必要がなく、シュート１の外部から容易にベルトクリーナ装置１０の交換をすることが可能になる。更に、本実施形態の構成では、高さ調節機構としての調節ねじ１９を使用することなく、位置固定機構２１ａのねじ軸４４を回転させるだけで、同時に高さ調節機構としての機能を果たすことができるので、より容易にベルトクリーナ装置１０の交換後のレベル調整をすることができる。
【００５９】
なお、本実施形態において、保持部材３０の内部に配置されて、ベルトクリーナ装置１０を支持するための支持部材３２を、ベルトクリーナ装置１０の取付部材１１ａの固定基部１６ａとは別体の構成部材として説明したが、固定基部１６ａに上記支持部材３２に形成した長孔３３と同様の長孔３３を形成し、保持部材３０の断面コ字状内部に直接固定基部１６ａを摺動させるようにして形成してもよい。
【００６０】
また、本実施形態において、保持部材３０を平面視コ字状の形状として説明したが、これに限るものではなく、たとえば、保持部材３０を平面視ロ字状の四角枠状の形状として、該四角枠状の保持部材３０の内側に支持部材３２を摺動可能に配置させるようにしてもよい。このようにすることで、支持部材３２が保持部材３０から抜け出すことがなくなり、保持部材３０の長孔５０、支持部材３２の図示しない長孔、ボルト５１及びナット５２を省略することができる。
【００６１】
更に、第１実施形態及び第２実施形態において、図１に示すように、ベルトクリーナ装置１０のシャフト１２の構成を、両端が左右の取付部材１１に取り付けられた１本のシャフトとして説明したが、これに限られるものではなく、たとえば、１つの中央部シャフトと２つの端部シャフトに３分割されたシャフトを使用してもよい。すなわち、３分割されたシャフトの両端側の端部シャフトが取付部材１１に取り付けられた構成とし、該各端部シャフト間において、クリーナ部材が配設された中央部シャフトの両端を各端部シャフトとそれぞれ固定冶具を介して固定するような構成としてもよい。これにより、ベルトクリーナ装置１０のチップ１３の交換の際には、取付部材１１からシャフト全体を取り外さなくても、中央部シャフトのみ端部シャフトから取り外して交換すればよいので、交換作業がより容易にすることができる。
【００６２】
その他本発明の要旨を逸脱しない範囲内で種々変更を加え得ることは勿論である。
【符号の説明】
【００６３】
１  シュート（被取付対象）
２  ヘッドプーリ（プーリ）
３  サイドガイドレール
４  搬送ベルト
５，５ａ  移動体
６，６ａ  フレーム
７  車輪
１０  ベルトクリーナ装置
１１，１１ａ  取付部材
２０  孔（ガイド孔）
２１，２１ａ  位置固定機構
２５，２５ａ  位置固定具
３０  保持部材
３１  長孔（ガイド孔）
３２  支持部材
３３  長孔
４５  差込板
【要約】
【課題】  シュートの中に入っての作業員の作業負担を軽減し、ベルトクリーナ装置のスクレーパ部材の交換作業を容易にする。
【解決手段】  被取付対象としてのシュート１の内側面に、搬送ベルト４のリターン側の搬送方向から離れる方向に延びる一対のサイドガイドレール３，３を設置する。一対のサイドガイドレール３，３の間に、該サイドガイドレール３に沿って移動可能な一対のフレーム６を有する移動体５を配置する。該移動体５のフレーム６の上面にベルトクリーナ装置１０が取り付けられた構成とする。シュート１の外方には、ベルトクリーナ装置１０が所望の位置にあるときに位置を固定するための位置固定機構２１が設けられている。
【選択図】図２【図１】
0005504385.tif 000002
【図２】
0005504385.tif 000003
【図３】
0005504385.tif 000004
【図４】
0005504385.tif 000005
【図５】
0005504385.tif 000006
【図６】
0005504385.tif 000007